(57)【要約】【課題】本発明は被結束物を結束する紐を結ぶことなく掛止するだけで簡単に結合できる紐結合部材を供給することを目的とする。【課題を解決する手段】本発明の紐結合部材は平板に紐を掛ける切り欠きと紐を掛止するスリットを形成したことを特徴とする。【選択図】　図１
2004035104.tif 000002
【特許請求の範囲】
【請求項１】
平板状の紐結合部材本体（１）に紐（２）の一端（２ａ）を掛ける切り欠き（１１）と紐（２）の他端（２ｂ）を掛ける切り欠き（１２）を有し、切り欠き（１１）に掛けた紐（２）の一端（２ａ）を掛止するスリット（１３）及び切り欠き（１２）に掛けた紐の他端（２ａ）を掛止するスリット（１４）を形成することを特徴とする紐結合部材
【請求項２】
請求項１の切り欠き、スリット等を展開時に対称形に配置し対称軸から折り曲げて使用する請求項１の紐結合部材
【請求項３】
平板状の紐結合部材本体に掛止穴（３２）を形成してなる請求項１の紐結合部材
【請求項４】
請求項１の平板状の紐結合部材本体（１）の切り欠き（１１）と切り欠き（１２）に替えて穴（１１ｄ）を形成したことを特徴とする請求項１の紐結合部材
【発明の詳細な説明】
【０００１】
【発明の属する技術分野】
本発明は物品を結束する際、紐を掛けて結ぶ代わりに結合部材を用いて紐を結合するものに関する。
【０００２】
【従来の技術】
一般に被結束物を結束するときは紐を用いて被結束物を十字方向にくくって縛るが結合手段としては結ぶか、特開２０００−１６８７１８の緊締装置などを使用する方法がある。
【０００３】
【発明が解決しようとする課題】
しかし、被結束物である古新聞など重ねて縛る場合は、重なりの隙間を少なくするため押さえたりして縛ろうとするが、現実には結ぶときに緩みが生じたり正しく結ばないと解けてしまい荷崩れを生じたりすることもある。
このような、欠点の解消する手段として特開２０００−１６８７１８の緊締装置が発明されている。
しかしながら前記緊締装置は片方に、くびり部を付ける事が必要であり不器用な人にはなじめない部分があった。
そこで本発明は結びや、くびり部を必要とすることなく簡単に結合することの出来る紐結合部材を提供することを目的とする。
【０００４】
【課題を解決するための手段】
上記問題点を解決するために本発明の紐結合部材は平板上に紐の一端を掛ける切り欠き及び掛止するスリットを設け、また紐の他端も同様に切り欠きと掛止するスリットを設け紐を結ぶことなく結合できるようにしたものである。
【０００５】
【発明の実施の形態】
本発明は被結束物（３）に一般に行われているように紐（２）を十字に掛け結び目にあたる箇所を平板状の紐結合部材本体（１）で結合するものである。
（実施の形態１）
以下、本発明の実施形態１における紐結合部材について説明する。
図１（ａ）は本発明の実施形態１における被結束物（３）を紐（２）で縛り結合部材本体（１）で結合した斜視図、図１（ｂ）は紐結合部材本体の斜視図、図１（ｃ）（ｄ）（ｅ）（ｆ）は紐結合部材本体（１）への紐を結合する手順を示した斜視図である。
（１１）は紐（２）の一端（２ａ）を引っ掛ける切り欠きで、紐（２）の一端（２ａ）を切り欠き（１１）に掛けたあと、スリット（１３）に掛止する。以上は図１（ｂ）、（ｃ）に示す。スリット（１３）の外形側には面取り（１７）を施し紐をスリット（１３）に掛止し易くしている。また、スリット（１３）の他端（内側）には小穴（１５）を設けスリット（１３）のスリット端から破損しないようにしている。紐（２）の他端（２ｂ）も切り欠き（１２）に掛け、スリット（１４）に掛止する。スリット（１４）には前記スリット（１３）と同様に面取り（１８）及び小穴（１６）を設けてある。この状態で紐（２）の一端（２ａ）及び他端（２ｂ）をそれぞれ矢印（２ｃ）と矢印（２ｄ）の方向に引っ張り、紐（２）の緩みを取り除き被結束物（３）が荷崩れを起こさないようにする。以上図１（ｅ）に示す。次に紐（２）の一端（２ａ）を結合部材本体（１）に巻き付ける方向に切り欠き（１１）を通過させ、スリット（１３）に掛止する。また紐（２）の他端（２ｂ）も同様に結合部材本体（１）に巻き付ける方向に切り欠き（１２）を通過させ、スリット（１４）に掛止する。以上図１（ｆ）に示す。
以上のような手順で説明したが紐一端を先に最終工程まで作業を先に行ってから紐の他端を掛止しても良い。
実施形態１の紐結合部材は紐を結ぶことなく紐結合部材に引っ掛け、スリットに掛止するだけで紐の結合を行うことが出来る。
（実施の形態２）
以下、本発明の実施形態２における紐結合部材について説明する。
図２（ａ）は本発明の実施形態２における紐結合部材の展開時の斜視図、図２（ｂ）は使用状態に折り曲げている紐結合部材の斜視図である。
実施形態２は紐結合部材本体を二つ折にして使用することが、実施形態１との相違である。実施形態２の紐結合部材本体（２１）には折線（２２）を対称として実施形態１と同様機能するに切り欠きやスリットが設けてある。
以下に説明する。折り曲げると折線と対称に設けているので切り欠き（１１ａ）は切り欠き（１１ｂ）と、切り欠き（１２ａ）は切り欠き（１２ｂ）と、スリット（１３ａ）はスリット（１３ｂ）と、スリット（１４ａ）はスリット（１４ｂ）と、面取り（１７ａ）は面取り（１７ｂ）と、面取り（１８ａ）は面取り（１８ｂ）と小穴（１５ａ）は小穴（１５ｂ）と、小穴（１６ａ）は小穴（１６ｂ）が重なる。
したがって、折り曲げた後は実施の形態１と同じように紐（２）を掛止すればよい。折り曲げて使用することで実施形態１の紐結合部材に比べて薄い材料でよく加工の容易化ができる。
（実施の形態３）
以下、本発明の実施形態３における紐結合部材について説明する。
図３（ａ）は本発明の実施形態３における紐結合部材本体の斜視図、図３（ｂ）（ｃ）（ｄ）（ｅ）は紐結合部材本体へ紐を結合する手順を示した斜視図である。（１１ｃ）は紐（２）の一端（２ａ）を引っ掛ける切り欠きで、紐（２）の一端（２ａ）を切り欠き（１１ｃ）に掛けたあと、スリット（１３ｃ）に掛止する。以上図３（ｂ）、（ｃ）に示す。スリット（１３ｃ）の外形側には面取り（１７ｃ）を施し紐をスリット（１３ｃ）に掛止し易くしている。また、スリット（１３ｃ）の他端（内側）には小穴（１５ｃ）を設けスリット（１３ｃ）のスリット端から破損しないようにしている。紐（２）の他端（２ｂ）も切り欠き（１２ｃ）に掛け、スリット（１４ｃ）に掛止する。スリット（１４ｃ）には前記スリット（１３ｃ）と同様に面取り（１８ｃ）及び小穴（１６ｃ）を設けてある。この状態で紐（２）の一端（２ａ）及び他端（２ｂ）をそれぞれ矢印（２ｃ）と矢印（２ｄ）の方向に引っ張り、紐（２）の緩みを取り除き被結束物（３）が荷崩れを起こさないようにする。以上図３（ｄ）に示す。次に紐（２）の一端（２ａ）をスリット（３３）を通過させ、掛止穴（３２）に掛止する。また紐（２）の他端（２ｂ）も同様にスリット（３３）を通過させ、掛止穴（３２）に掛止する。
以上図３（ｅ）に示す。スリット（３３）には外形側に面取り（３４）を設けてあるので紐をスリット（３３）にスムーズに案内する。
以上のような手順で説明したが紐一端を先に最終工程まで作業を先に行ってから紐の他端を掛止しても良い。
実施形態３のように掛止穴（３２）に掛止することで、実施形態１のスリット（１３）及び（１４）に紐が二重なることが無いので、スリットが小さくてもよいので紐結合部材を小型にすることができる。
（実施の形態４）
以下、本発明の実施形態４における紐結合部材について説明する。
図４（ａ）は本発明の実施形態４における紐結合部材本体の斜視図、図４（ｂ）（ｃ）（ｄ）（ｅ）は紐結合部材へ紐を結合するする手順を示した斜視図である。（１１ｄ）は紐（２）の一端（２ａ）を引っ掛ける穴で、紐（２）の一端（２ａ）を穴（１１ｄ）に通した後、スリット（１３ｄ）に掛止する。
以上図４（ｂ）、（ｃ）に示す。スリット（１３ｄ）の外形側には面取り（１７ｄ）を施し紐をスリット（１３ｄ）に掛止し易くしている。また、スリット（１３ｄ）の他端（内側）には小穴（１５ｄ）を設けスリット（１３ｄ）のスリット端から破損しないようにしている。紐（２）の他端（２ｂ）も穴（１１ｄ）に通し、スリット（１４ｄ）に掛止する。スリット（１４ｄ）には前記スリット（１３ｄ）と同様に面取り（１８ｄ）及び小穴（１６ｄ）を設けてある。この状態で紐（２）の一端（２ａ）及び他端（２ｂ）をそれぞれ矢印（２ｃ）と矢印（２ｄ）の方向に引っ張り、紐（２）の緩みを取り除き被結束物（３）が荷崩れを起こさないようにする。以上図４（ｄ）に示す。次に紐（２）の一端（２ａ）を結合部材本体（４１）を巻き付ける方向に穴（１１ｄ）を通過させ、スリット（１３ｄ）に掛止する。また紐（２）の他端（２ｂ）も同様に結合部材本体（４１）を巻き付ける方向に穴（１１ｄ）を通過させ、スリット（１４ｄ）に掛止する。以上のような手順で説明したが紐一端を先に最終工程まで作業を先に行ってから紐の他端を掛止しても良い。
実施形態４の紐結合部材は紐を掛ける部分を切り欠きから穴にしたので紐を通さなければならないが、切り欠きが無いために高強度とすることができる。
【０００６】
【発明の効果】
本発明の紐結合部材は、紐を結ぶことなく切り欠きに紐を掛けてスリットに掛止するだけで紐を結合することができる。また、紐の緩みを締めて掛止することもでき被結束物の荷崩れを防止することができる。また製作も板状のプラスチックや厚紙などをプレス加工するだけでよく、安価に製造することができる。たとえば古新聞などを結束する際には結ぶのが不得手の人でも容易に紐を結合することができ、リサイクルなど能率をよくするのにも貢献できるものである。
【図面の簡単な説明】
【図１】は本発明の実施形態１における紐結束部材を示す図であり
（ａ）は被結束物を紐で縛った全体の斜視図
（ｂ）は斜視図
（ｃ）は紐を紐結合部材に結合する手順その１の斜視図
（ｄ）は紐を紐結合部材に結合する手順その２の斜視図
（ｅ）は紐を紐結合部材に結合する手順その３の斜視図
（ｆ）は紐を紐結合部材に結合する手順その４の斜視図
【図２】は本発明の実施の形態２における紐結合部材を示す図であり
（ａ）は展開の斜視図
（ｂ）は（ａ）を折り曲げるときの斜視図
【図３】は本発明の実施の形態３における紐結合部材を示す図であり
（ａ）は斜視図
（ｂ）は紐を紐結合部材に結合する手順その１の斜視図
（ｃ）は紐を紐結合部材に結合する手順その２の斜視図
（ｄ）は紐を紐結合部材に結合する手順その３の斜視図
（ｅ）は紐を紐結合部材に結合する手順その４の斜視図
【図４】は本発明の実施の形態４における紐結合部材を示す図であり
（ａ）は斜視図
（ｂ）は紐を紐結合部材に結合する手順その１の斜視図
（ｃ）は紐を紐結合部材に結合する手順その２の斜視図
（ｄ）は紐を紐結合部材に結合する手順その３の斜視図
（ｅ）は紐を紐結合部材に結合する手順その４の斜視図
【符号の説明】
１　　紐結合部材本体　　　　　　　２　　紐
２ａ　紐の一端　　　　　　　　　　２ｂ　紐の他端
３　　被結束物
１１、１２　切り欠き　　　　　　　１３、１４　スリット
１５、１６　小穴　　　　　　　　　１７、１８　面取り
２１　紐結合部材本体（実施形態２に於ける）
２２　折線
１１ａ、１１ｂ、１２ａ、１２ｂ　切り欠き
１３ａ、１３ｂ、１４ａ、１４ｂ　スリット
１５ａ、１５ｂ、１６ａ、１６ｂ　小穴
１７ａ、１７ｂ、１８ａ、１８ｂ　面取り
３１　紐結合部材本体（実施形態３に於ける）
３２　掛止穴　　　　　　　　　　　３３　スリット
３４　面取り
１１ｃ、１２ｃ　切り欠き　　　　　１３ｃ、１４ｃ　スリット
１５ｃ、１６ｃ　小穴　　　　　　　１７ｃ、１８ｃ　面取り
４１　紐結合部材（実施形態４に於ける）
１１ｄ　穴　　　　　　　　　　　　１３ｃ、１４ｄ　スリット
１５ｄ、１６ｄ　小穴　　　　　　　１７ｄ、１８ｄ　面取り
【図１】
2004035104.tif 000003
【図２】
2004035104.tif 000004
【図３】
2004035104.tif 000005
【図４】
2004035104.tif 000006